(57)【要約】【課題】右眼用画像と左眼用画像との混在が観察者に知覚されることを抑制しながら表示画像の明度を向上させる。【解決手段】電気光学装置１０は、右眼用画像ＧRと左眼用画像ＧLとを表示期間Ｐi毎に表示する。駆動回路４０は、各表示期間Ｐi内の複数の単位期間Ｕの各々において当該単位期間Ｕに対応する画像データＤAによる指定階調に応じた階調電位Ｘ[n]を各画素ＰIXに供給する回路であって、各表示期間Ｐi内の単位期間Ｕ1では、走査線３２を複数行ずつ順次に選択するとともに選択状態の複数行のうち何れかの走査線３２に対応する各画素ＰIXの指定階調に応じた階調電位Ｘ[n]を各信号線３４に供給する。駆動制御部５６は、各表示期間Ｐi内の単位期間Ｕ1を含む２個以上の単位期間Ｕの各々にて各画素ＰIXのオーバードライブを駆動回路４０に実行させる。【選択図】図１
2013073036.tif 000002
【特許請求の範囲】
【請求項１】
右眼用画像と左眼用画像とを表示期間毎に表示する電気光学装置であって、
複数の走査線と複数の信号線との各交差に対応して配置された複数の画素と、
前記各表示期間内の複数の単位期間の各々において当該単位期間に対応する画像データ
による指定階調に応じた階調電位を各画素に供給する回路であって、前記各表示期間内の
第１番目の単位期間では、前記走査線を複数行ずつ順次に選択するとともに選択状態の複
数行のうち何れかの走査線に対応する各画素の指定階調に応じた階調電位を前記各信号線
に供給する駆動回路と、
前記各表示期間内で前記第１番目の単位期間を含む２以上の単位期間の各々にて各画素
のオーバードライブを前記駆動回路に実行させる駆動制御手段と
を具備する電気光学装置。
【請求項２】
前記駆動制御手段は、前記各表示期間内の第１番目の単位期間において、当該単位期間
の画像データと直前の表示期間内の最後の単位期間の画像データとの差異に応じた補正量
のオーバードライブを前記駆動回路に実行させる
請求項１の電気光学装置。
【請求項３】
前記駆動制御手段は、前記各表示期間内の第２番目の単位期間において、当該単位期間
の画像データと直前の表示期間内の最後の単位期間の画像データとの差異に応じた補正量
のオーバードライブを前記駆動回路に実行させる
請求項２の電気光学装置。
【請求項４】
前記駆動制御手段は、前記各表示期間内の第２番目の単位期間において、当該単位期間
の画像データと当該表示期間内の前記第１番目の単位期間の画像データとの差異に応じた
補正量のオーバードライブを前記駆動回路に実行させる
請求項２の電気光学装置。
【請求項５】
前記駆動制御手段は、前記各表示期間内の前記複数の単位期間の各々において、当該単
位期間の画像データと直前の単位期間の画像データとの差異に応じた補正量のオーバード
ライブを前記駆動回路に実行させる
請求項２の電気光学装置。
【請求項６】
前記駆動制御手段は、
前記各表示期間内の第２番目の単位期間において、当該単位期間の画像データと直前の
表示期間内の最後の単位期間の画像データとの差異に応じた補正量のオーバードライブを
前記駆動回路に実行させる動作モードと、
前記各表示期間内の第２番目の単位期間において、当該単位期間の画像データと当該表
示期間内の前記第１番目の単位期間の画像データとの差異に応じた補正量のオーバードラ
イブを前記駆動回路に実行させる動作モードとの何れかに設定される
請求項２の電気光学装置。
【請求項７】
前記駆動回路は、前記各表示期間内の第１番目の単位期間では、前記走査線をＱ行（Ｑ
は２以上の自然数）ずつ順次に選択するとともに選択状態の前記Ｑ行のうち第１走査線に
対応する各画素の指定階調に応じた階調電位を前記各信号線に供給し、かつ、前記各表示
期間内の第２番目の単位期間では、前記Ｑ行のうち前記第１走査線以外の第２走査線を順
次に選択するとともに選択状態の前記第２走査線に対応する各画素の指定階調に応じた階
調電位を前記各信号線に供給する
請求項１から請求項６の何れかの電気光学装置。
【請求項８】
請求項１から請求項７の何れかの電気光学装置を具備する電子機器。
【発明の詳細な説明】
【技術分野】
【０００１】
本発明は、観察者が立体感を知覚するように相互に視差が付与された右眼用画像と左眼
用画像とを表示する技術に関する。
【背景技術】
【０００２】
右眼用画像と左眼用画像とを時分割で交互に表示するフレームシーケンシャル方式の立
体視方法が従来から提案されている。例えば特許文献１に開示された技術では、液晶素子
を含む複数の画素を利用して、図１０に示すように右眼用画像と左眼用画像とが表示期間
Ｐ毎に交互に表示される。各表示期間Ｐは単位期間Ｕ1と単位期間Ｕ2とに区分される。
【０００３】
右眼用画像の表示期間Ｐ内の単位期間Ｕ1では表示画像が左眼用画像から右眼用画像に
更新されるとともに直後の単位期間Ｕ2では右眼用画像が表示され、左眼用画像の表示期
間Ｐ内の単位期間Ｕ1では表示画像が右眼用画像から左眼用画像に更新されるとともに直
後の単位期間Ｕ2では左眼用画像が表示される。各表示期間Ｐの単位期間Ｕ1と単位期間Ｕ
2とでは液晶素子に対する印加電圧が逆極性に設定される。各表示期間Ｐの単位期間Ｕ1で
は、右眼用シャッターおよび左眼用シャッターの双方が閉状態に制御される。したがって
、右眼用画像と左眼用画像との混在（以下「クロストーク」という）は観察者に知覚され
ない。
【先行技術文献】
【特許文献】
【０００４】
【特許文献１】特開２００９−２５４３６号公報
【発明の概要】
【発明が解決しようとする課題】
【０００５】
しかし、特許文献１の技術のもとでは、単位期間Ｕ1および単位期間Ｕ2の各々にて各画
素が１行毎に順次に選択されて指定階調に駆動されるから、右眼用シャッターおよび左眼
用シャッターの双方が閉状態に維持される単位期間Ｕ1の時間長が長い。したがって、表
示画像の明度を充分に確保することが困難であるという問題がある。以上の事情を考慮し
て、本発明は、右眼用画像と左眼用画像との混在が観察者に知覚されることを抑制しなが
ら表示画像の明度を向上させることを目的とする。
【課題を解決するための手段】
【０００６】
以上の課題を解決するために、本発明の電気光学装置は、右眼用画像と左眼用画像とを
表示期間毎に表示する電気光学装置であって、複数の走査線と複数の信号線との各交差に
対応して配置された複数の画素と、各表示期間内の複数の単位期間の各々において当該単
位期間に対応する画像データによる指定階調に応じた階調電位を各画素に供給する回路で
あって、各表示期間内の第１番目の単位期間では、走査線を複数行ずつ順次に選択すると
ともに選択状態の複数行のうち何れかの走査線に対応する各画素の指定階調に応じた階調
電位を各信号線に供給する駆動回路と、各表示期間内で第１番目の単位期間を含む２以上
の単位期間の各々にて各画素のオーバードライブを駆動回路に実行させる駆動制御手段と
を具備する。以上の構成では、各表示期間内の第１番目の単位期間において走査線が複数
行ずつ順次に選択されて選択行の各画素に階調電位が供給されるから、例えば各表示期間
内の第１番目の単位期間にて走査線を１本ずつ選択して各画素に階調電位を供給する構成
と比較すると、右眼用画像と左眼用画像とが混在する期間の時間長が短縮される。したが
って、観察者が視認する表示画像の明度を向上することが可能である。しかも、表示期間
内の複数の単位期間にて各画素のオーバードライブが実行されるから、第１番目の単位期
間が短い構成にも関わらず各画素を充分に駆動できる（したがってクロストークが抑制さ
れる）という利点がある。
【０００７】
本発明の好適な態様において、駆動制御手段は、各表示期間内の第１番目の単位期間に
おいて、当該単位期間の画像データと直前の表示期間内の最後の単位期間の画像データと
の差異に応じた補正量のオーバードライブを駆動回路に実行させる。なお、各表示期間内
の第２番目以降の単位期間におけるオーバードライブの適切な態様は任意である。例えば
、各表示期間内の第２番目の単位期間において、当該単位期間の画像データと直前の表示
期間内の最後の単位期間の画像データとの差異に応じた補正量のオーバードライブを駆動
回路に実行させる構成（例えば後述の第２動作モード）や、当該単位期間の画像データと
当該表示期間内の第１番目の単位期間の画像データとの差異に応じた補正量のオーバード
ライブを駆動回路に実行させる構成（例えば後述の第３動作モード）が採用され得る。ま
た、各表示期間内の複数の単位期間（例えば全部の単位期間）の各々において、当該単位
期間の画像データと直前の単位期間の画像データとの差異に応じた補正量のオーバードラ
イブを駆動回路に実行させること（例えば後述の第４動作モード）も可能である。
【０００８】
本発明の好適な態様において、駆動制御手段は、各表示期間内の第２番目の単位期間に
おいて、当該単位期間の画像データと直前の表示期間内の最後の単位期間の画像データと
の差異に応じた補正量のオーバードライブを駆動回路に実行させる動作モードと、各表示
期間内の第２番目の単位期間において、当該単位期間の画像データと当該表示期間内の第
１番目の単位期間の画像データとの差異に応じた補正量のオーバードライブを駆動回路に
実行させる動作モードとの何れかに設定される。以上の態様では、オーバードライブの態
様が相違する複数の動作モードの何れかで駆動制御手段が動作するから、例えば表示画像
の内容や画素の応答特性に応じた適切な動作モードを選択できるという利点がある。
【０００９】
本発明の好適な態様において、駆動回路は、各表示期間内の第１番目の単位期間では、
走査線をＱ行（Ｑは２以上の自然数）ずつ順次に選択するとともに選択状態のＱ行のうち
第１走査線に対応する各画素の指定階調に応じた階調電位を各信号線に供給し、かつ、各
表示期間内の第２番目の単位期間では、Ｑ行のうち第１走査線以外の第２走査線を順次に
選択するとともに選択状態の第２走査線に対応する各画素の指定階調に応じた階調電位を
各信号線に供給する。以上の態様では、第１番目の単位期間では複数の走査線の配列方向
における解像度を低下させた画像が表示されるが、第２番目の単位期間にて表示画像の解
像度を上昇させることが可能である。
【００１０】
以上の各態様に係る電気光学装置は表示体として各種の電子機器に採用される。例えば
、以上の各態様に係る電気光学装置と、眼鏡制御回路が制御する立体視用眼鏡とを具備す
る立体視表示装置が、本発明の電子機器として例示される。
【図面の簡単な説明】
【００１１】
【図１】本発明の第１実施形態に係る立体視表示装置のブロック図である。
【図２】画素回路の回路図である。
【図３】第１実施形態の動作の説明図である。
【図４】走査線駆動回路の動作の説明図である。
【図５】処理回路のブロック図である。
【図６】動作モードの説明図である。
【図７】電子機器（投射型表示装置）の斜視図である。
【図８】電子機器（パーソナルコンピュータ）の斜視図である。
【図９】電子機器（携帯電話機）の斜視図である。
【図１０】対比例における立体視動動作の説明図である。
【発明を実施するための形態】
【００１２】
図１は、本発明のひとつの実施形態に係る立体視表示装置１００のブロック図である。
立体視表示装置１００は、観察者に立体感を知覚させる立体視画像をアクティブシャッタ
ー方式で表示する電子機器であり、電気光学装置１０と立体視用眼鏡２０とを具備する。
電気光学装置１０は、相互に視差が付与された右眼用画像ＧRと左眼用画像ＧLとを時分割
で交互に表示する。なお、以下の説明では、右眼用画像ＧRおよび左眼用画像ＧLを画像Ｇ
i（ｉ＝Ｒ,Ｌ）と包括的に表現する場合がある。
【００１３】
立体視用眼鏡２０は、電気光学装置１０が表示する立体視画像の視認時に観察者が装着
する眼鏡型の器具であり、観察者の右眼の前方に位置する右眼用シャッター２２と左眼の
前方に位置する左眼用シャッター２４とを具備する。右眼用シャッター２２および左眼用
シャッター２４の各々は、照射光を透過させる開状態（透過状態）と照射光を遮断する閉
状態（遮光状態）とに制御される。例えば印加電圧に応じて液晶の配向方向を変化させる
ことで開状態および閉状態の一方から他方に変化する液晶シャッターが右眼用シャッター
２２および左眼用シャッター２４として採用され得る。
【００１４】
図１の電気光学装置１０は、電気光学パネル１２と制御回路１４とを具備する。電気光
学パネル１２は、複数の画素（画素回路）ＰIXが配列された画素部３０と、各画素ＰIXを
駆動する駆動回路４０とを含む。画素部３０には、ｘ方向に延在するＭ本の走査線３２と
、ｘ方向に交差するｙ方向に延在するＮ本の信号線３４とが形成される（ＭおよびＮは自
然数）。画素部３０内の複数の画素ＰIXは、走査線３２と信号線３４との各交差に対応し
て縦Ｍ行×横Ｎ列の行列状に配列される。
【００１５】
図２は、各画素ＰIXの回路図である。図２に示すように、各画素ＰIXは、液晶素子ＣL
と選択スイッチＳWとを含む。液晶素子ＣLは、相互に対向する画素電極６２および共通電
極６４と両電極間の液晶６６とで構成された電気光学素子である。画素電極６２と共通電
極６４との間の印加電圧に応じて液晶６６の透過率（表示階調）が変化する。選択スイッ
チＳWは、走査線３２にゲートが接続されたＮチャネル型の薄膜トランジスターで構成さ
れ、液晶素子ＣLと信号線３４との間に介在して両者の電気的な接続（導通／絶縁）を制
御する。なお、液晶素子ＣLに並列に補助容量を接続した構成も採用され得る。
【００１６】
図１の制御回路１４は、電気光学パネル１２を制御する表示制御回路１４２と、立体視
用眼鏡２０を制御する眼鏡制御回路１４４とを具備する。表示制御回路１４２は、右眼用
画像ＧRと左眼用画像ＧLとが時分割で交互に画素部３０に表示されるように駆動回路４０
を制御する。例えば表示制御回路１４２は、画素部３０内の各画素ＰIXの階調を指定する
画像信号ＶIDを生成して駆動回路４０に供給する。なお、表示制御回路１４２と眼鏡制御
回路１４４とを単体の集積回路に搭載した構成のほか、表示制御回路１４２と眼鏡制御回
路１４４とを別体の集積回路に分散した構成も採用され得る。
【００１７】
図１の駆動回路４０は、表示制御回路１４２から供給される画像信号ＶIDが各画素ＰIX
に指定する階調（以下「指定階調」という）に応じた電圧を各画素ＰIXの液晶素子ＣLに
印加する回路であり、走査線駆動回路４２と信号線駆動回路４４とを具備する。走査線駆
動回路４２は、各走査線３２に対応する走査信号Ｙ[1]〜Ｙ[M]の供給で各走査線３２を順
次に選択する。走査信号Ｙ[m]（ｍ＝１〜Ｍ）が所定の選択電位に設定される（すなわち
第ｍ行の走査線３２が選択される）ことで、第ｍ行の各画素ＰIXにおける選択スイッチＳ
Wが同時にオン状態に遷移する。信号線駆動回路４４は、走査線駆動回路４２による走査
線３２の選択に同期してＮ本の信号線３４の各々に階調電位Ｘ[1]〜Ｘ[N]を供給する。各
画素ＰIX（液晶素子ＣL）は、走査線３２の選択時（選択スイッチＳWがオン状態に制御さ
れたとき）における信号線３４の階調電位Ｘ[n]に応じた階調を表示する。
【００１８】
図３は、電気光学装置１０の動作の説明図である。図３に示すように、電気光学装置１
０の動作期間は、複数の表示期間Ｐi（右眼用表示期間ＰRおよび左眼用表示期間ＰL）に
区分される。右眼用表示期間ＰRでは右眼用画像ＧRが画素部３０に表示され、左眼用表示
期間ＰLでは左眼用画像ＧLが画素部３０に表示される。右眼用表示期間ＰRと左眼用表示
期間ＰLとは時間軸上に交互に配列する。各表示期間Ｐi（ＰR，ＰL）は、相等しい時間長
の４個の単位期間Ｕ（Ｕ1〜Ｕ4）に区分される。単位期間Ｕ2は単位期間Ｕ1に後続し、単
位期間Ｕ3は単位期間Ｕ2に後続し、単位期間Ｕ4は単位期間Ｕ3に後続する。例えば各表示
期間Ｐiの時間長は約１/１２０秒に設定され、各単位期間Ｕの時間長は約１/４８０秒に
設定される。
【００１９】
駆動回路４０は、各画素ＰIXの液晶素子ＣLに対する印加電圧の極性を周期的に反転さ
せる。液晶素子ＣLに対する印加電圧の極性（例えば所定電位に対する階調電位Ｘ[n]の極
性）を単位期間Ｕの２個毎に反転させる構成が図３では例示されている。すなわち、液晶
素子ＣLの印加電圧の極性は、各表示期間Ｐi内の単位期間Ｕ1および単位期間Ｕ2にて正極
性（例えば画素電極６２の電位が共通電極６４の電位を上回る状態）に設定され、各表示
期間Ｐi内の単位期間Ｕ3および単位期間Ｕ4にて負極性（例えば画素電極６２の電位が共
通電極６４の電位を下回る状態）に設定される。
【００２０】
図４は、各表示期間Ｐi（ＰR，ＰL）での走査線駆動回路４２の動作の説明図である。
以下では図３および図４を参照して、各表示期間Ｐi（ＰR，ＰL）内の単位期間Ｕ1〜Ｕ4
の各々における駆動回路４０の動作を説明する。
【００２１】
（１）単位期間Ｕ1  
図４に示すように、各表示期間Ｐi内の単位期間Ｕ1において、走査線駆動回路４２は、
Ｍ本の走査線３２を相互に隣合う２行毎に区分した複数の組（以下「第１組」という）の
各々を選択期間Ｈ毎に順次に選択する。第１組は、偶数行（第2k行）の１本の走査線３２
と、その走査線３２に対してｙ方向の負側に隣合う奇数行（第(2k-1)行）の１本の走査線
３２とで構成される。走査線駆動回路４２は、単位期間Ｕ1内の１個の選択期間Ｈにて走
査信号Ｙ[2k-1]および走査信号Ｙ[2k]を選択電位に設定することで第１組の２本の走査線
３２を同時に選択する。例えば、単位期間Ｕ1内の第１番目の選択期間Ｈでは第１行およ
び第２行の２本の走査線３２が同時に選択され、単位期間Ｕ1内の第２番目の選択期間Ｈ
では第３行および第４行の２本の走査線３２が同時に選択される。
【００２２】
図３に示すように、各表示期間Ｐi（ＰR，ＰL）内の単位期間Ｕ1のうち第１組を構成す
る第(2k-1)行および第2k行の２本の走査線３２が選択される選択期間Ｈにおいて、信号線
駆動回路４４は、画像Ｇiのうち第(2k-1)行の各画素ＰIXの指定階調Ｇi[2k-1]に応じた階
調電位Ｘ[n]を各信号線３４に供給する。例えば、右眼用表示期間ＰR内の単位期間Ｕ1の
うち第１番目の選択期間Ｈでは、右眼用画像ＧRのうち第１行の各画素ＰIXの指定階調ＧR
[1]に応じた階調電位Ｘ[n]が各信号線３４に供給され、第２番目の選択期間Ｈでは、右眼
用画像ＧRのうち第３行の各画素ＰIXの指定階調ＧR[3]に応じた階調電位Ｘ[n]が各信号線
３４に供給される。
【００２３】
したがって、各表示期間Ｐi内の第ｋ番目の選択期間Ｈでは、画像Ｇiのうち第(2k-1)行
の指定階調Ｇi[2k-1]に応じた階調電位Ｘ[n]が第(2k-1)行および第2k行の各画素ＰIXに共
通に供給される。すなわち、単位期間Ｕ1が終了する時点では、ｙ方向の解像度を半分に
低下させた画像Ｇiが画素部３０に表示される。
【００２４】
（２）単位期間Ｕ2  
図４に示すように、各表示期間Ｐi内の単位期間Ｕ2において、走査線駆動回路４２は、
偶数行の各走査線３２を選択期間Ｈ毎に順次に選択する。すなわち、Ｍ本の走査線３２が
１本おきに選択される。具体的には、走査線駆動回路４２は、単位期間Ｕ2内の第ｋ番目
の選択期間Ｈにて走査信号Ｙ[2k]を選択電位に設定することで第2k行の１本の走査線３２
を選択する。例えば、単位期間Ｕ2内の第１番目の選択期間Ｈでは第２行の走査線３２が
選択され、第２番目の選択期間Ｈでは第４行の走査線３２が選択される。奇数行の走査線
３２は単位期間Ｕ2では選択されない。
【００２５】
図３に示すように、各表示期間Ｐi（ＰR，ＰL）内の単位期間Ｕ2のうち第2k行の１本の
走査線３２が選択される選択期間Ｈにおいて、信号線駆動回路４４は、画像Ｇiのうち第2
k行の各画素ＰIXの指定階調Ｇi[2k]に応じた階調電位Ｘ[n]を各信号線３４に供給する。
例えば、右眼用表示期間ＰR内の単位期間Ｕ2のうち第１番目の選択期間Ｈでは、右眼用画
像ＧRのうち第２行の各画素ＰIXの指定階調ＧR[2]に応じた階調電位Ｘ[n]が各信号線３４
に供給され、第２番目の選択期間Ｈでは、右眼用画像ＧRのうち第４行の各画素ＰIXの指
定階調ＧR[4]に応じた階調電位Ｘ[n]が各信号線３４に供給される。
【００２６】
したがって、各表示期間Ｐi内の第ｋ番目の選択期間Ｈでは、画像Ｇiのうち第2k行の指
定階調Ｇi[2k]に応じた階調電位Ｘ[n]が第2k行の各画素ＰIXに供給される。他方、奇数行
の各画素ＰIXにおける液晶素子ＣLの印加電圧は直前の単位期間Ｕ1での設定電圧に維持さ
れる。以上の動作の結果、単位期間Ｕ1の終点ではｙ方向に半分の解像度で表示されてい
た画像Ｇiが、単位期間Ｕ2の終点では所期の解像度（縦Ｍ行×横Ｎ列）の画像Ｇiに更新
される。
【００２７】
（３）単位期間Ｕ3  
図４に示すように、各表示期間Ｐi（ＰR，ＰL）内の単位期間Ｕ3において、走査線駆動
回路４２は、第１組とは相違する組合せでＭ本の走査線３２を相互に隣合う２行毎に区分
した複数の組（以下「第２組」という）の各々を選択期間Ｈ毎に順次に選択する。第２組
は、偶数行（第2k行）の１本の走査線３２と、その走査線３２に対してｙ方向の正側に隣
合う奇数行（第(2k+1)行）の１本の走査線３２とで構成される。すなわち、第１組と第２
組とは、走査線３２の１本分だけｙ方向にずれた関係にある。走査線駆動回路４２は、単
位期間Ｕ3内の１個の選択期間Ｈにて走査信号Ｙ[2k]および走査信号Ｙ[2k+1]を選択電位
に設定することで第２組の２本の走査線３２を同時に選択する。例えば、単位期間Ｕ3内
の第１番目の選択期間Ｈでは第２行および第３行の２本の走査線３２が同時に選択され、
単位期間Ｕ3内の第２番目の選択期間Ｈでは第４行および第５行の２本の走査線３２が同
時に選択される。
【００２８】
図３に示すように、各表示期間Ｐi（ＰR，ＰL）内の単位期間Ｕ3のうち第２組を構成す
る第2k行および第(2k+1)行の２本の走査線３２が選択される選択期間Ｈにおいて、信号線
駆動回路４４は、画像Ｇiのうち第2k行の各画素ＰIXの指定階調Ｇi[2k]に応じた階調電位
Ｘ[n]を各信号線３４に供給する。したがって、各表示期間Ｐi内の第ｋ番目の選択期間Ｈ
では、画像Ｇiのうち第2k行の指定階調Ｇi[2k]に応じた階調電位Ｘ[n]が第2k行および第(
2k+1)行の各画素ＰIXに共通に供給される。すなわち、単位期間Ｕ3が終了する時点では、
ｙ方向の解像度を半分に低下させた画像Ｇiが画素部３０に表示される。なお、図３では
、単位期間Ｕ3にて第１行の各画素ＰIXに階調電位Ｘ[n]を供給しない場合を便宜的に例示
したが、第１行の各画素ＰIXに当該行の指定階調Ｇi[1]に応じた階調電位Ｘ[n]や所定の
階調（例えば黒階調や中間調）に応じた階調電位Ｘ[n]を供給することも可能である。
【００２９】
（４）単位期間Ｕ4  
図４に示すように、各表示期間Ｐi内の単位期間Ｕ4において、走査線駆動回路４２は、
走査信号Ｙ[2k-1]を選択電位に設定することで奇数行の各走査線３２を選択期間Ｈ毎に順
次に選択する。例えば、単位期間Ｕ4内の第１番目の選択期間Ｈでは第１行の走査線３２
が選択され、第２番目の選択期間Ｈでは第３行の走査線３２が選択される。偶数行の走査
線３２は単位期間Ｕ2では選択されない。
【００３０】
図３に示すように、各表示期間Ｐi（ＰR，ＰL）内の単位期間Ｕ4のうち第(2k-1)行の１
本の走査線３２が選択される選択期間Ｈにおいて、信号線駆動回路４４は、画像Ｇiのう
ち第(2k-1)行の各画素ＰIXの指定階調Ｇi[2k-1]に応じた階調電位Ｘ[n]を各信号線３４に
供給する。したがって、単位期間Ｕ4の第ｋ番目の選択期間Ｈでは、画像Ｇiのうち第(2k-
1)行の各画素ＰIXの指定階調Ｇi[2k-1]に応じた階調電位Ｘ[n]が第(2k-1)行の各画素ＰIX
に供給される。以上の動作の結果、単位期間Ｕ3の終点ではｙ方向に半分の解像度で表示
されていた画像Ｇiが、単位期間Ｕ4の終点では所期の解像度（縦Ｍ行×横Ｎ列）の画像Ｇ
iに更新される。以上が各単位期間Ｕにおける駆動回路４０の動作である。
【００３１】
図１に示すように、本実施形態における制御回路１４の表示制御回路１４２は、指定階
調に応じた目標電圧を上回る過電圧を各画素ＰIXの液晶素子ＣLに印加することで液晶６
６の応答遅延を補償するオーバードライブ（過電圧駆動）を駆動回路４０に実行させる処
理回路５０を具備する。図５は、処理回路５０のブロック図である。図５に示すように、
右眼用画像ＧRまたは左眼用画像ＧLの階調を画素ＰIX毎に指定する画像データＤAが各表
示期間Ｐの単位期間Ｕ毎に外部回路（図示略）から処理回路５０に順次に供給される。な
お、表示制御回路１４２内の他の回路による処理後の画像データＤAを処理回路５０に供
給することも可能である。
【００３２】
前述の駆動回路４０の動作から理解されるように、表示期間Ｐi内の各単位期間Ｕでは
画像Ｇiの奇数行および偶数行の一方の指定階調に応じた階調電位Ｘ[n]が各画素ＰIXに供
給される。したがって、縦(Ｍ/２)行×横Ｎ列分の各画素ＰIXの指定階調を規定する画像
データＤAが各単位期間Ｕにて処理回路５０に供給される。
【００３３】
具体的には、各表示期間Ｐi内の単位期間Ｕ1については、画像Ｇiの奇数行の階調Ｇi[2
k-1]（Ｇi[1]，Ｇi[3]，Ｇi[5]，……）を指定する画像データＤAが処理回路５０に供給
され、各表示期間Ｐi内の単位期間Ｕ2については、画像Ｇiの偶数行の階調Ｇi[2k]（Ｇi[
2]，Ｇi[4]，Ｇi[6]，……）を指定する画像データＤAが処理回路５０に供給される。ま
た、各表示期間Ｐi内の単位期間Ｕ3については画像Ｇiの偶数行の階調Ｇi[2k]を指定する
画像データＤAが処理回路５０に供給され、各表示期間Ｐi内の単位期間Ｕ4については画
像Ｇiの奇数行の階調Ｇi[2k-1]を指定する画像データＤAが処理回路５０に供給される。
【００３４】
本実施形態の処理回路５０は、駆動回路４０に実行させるオーバードライブの態様が相
違する複数の動作モード（第１動作モードないし第４動作モード）で動作可能である。処
理回路５０の動作モードは、例えば外部回路（例えばＣＰＵ）から供給される動作モード
信号に応じて選択される。図６は、各動作モードの説明図である。
【００３５】
第１動作モードは、図６の部分(A)に示すように、各表示期間Ｐi内の単位期間Ｕ1のみ
で駆動回路４０にオーバードライブ（ＯＤ）を実行させる動作モードである。具体的には
、処理回路５０は、各表示期間Ｐi内の単位期間Ｕ1に対応する画像データＤAと直前の表
示期間Ｐiの最後の単位期間Ｕ4に対応する画像データＤAとの差異に応じて画素ＰIX毎の
補正量（液晶素子ＣLに対する印加電圧の増加分）が設定されたオーバードライブを駆動
回路４０に実行させる。各表示期間Ｐi内の単位期間Ｕ2から単位期間Ｕ4では各画素ＰIX
のオーバードライブは実行されない。
【００３６】
第２動作モードは、図６の部分(B)に示すように、各表示期間Ｐi内の単位期間Ｕ1およ
び単位期間Ｕ2にて駆動回路４０にオーバードライブを実行させる動作モードである。具
体的には、処理回路５０は、各表示期間Ｐi内の単位期間Ｕ1の画像データＤAと直前の表
示期間Ｐiの最後の単位期間Ｕ4の画像データＤAとの差異に応じた補正量のオーバードラ
イブ（すなわち第１動作モードと同様のオーバードライブ）を単位期間Ｕ1にて駆動回路
４０に実行させる。また、処理回路５０は、各表示期間Ｐi内の単位期間Ｕ2の画像データ
ＤAと直前の表示期間Ｐiの最後の単位期間Ｕ4の画像データＤAとの差異に応じた補正量の
オーバードライブを単位期間Ｕ2にて駆動回路４０に実行させる。すなわち、第２動作モ
ードでは、単位期間Ｕ1および単位期間Ｕ2の双方の画像データＤAが、直前の表示期間Ｐi
の単位期間Ｕ4の画像データＤAと比較される。各表示期間Ｐi内の単位期間Ｕ3および単位
期間Ｕ4では各画素ＰIXのオーバードライブは実行されない。
【００３７】
第３動作モードは、図６の部分(C)に示すように、各表示期間Ｐi内の単位期間Ｕ1およ
び単位期間Ｕ2にて駆動回路４０にオーバードライブを実行させる動作モードである。具
体的には、処理回路５０は、各表示期間Ｐi内の単位期間Ｕ1の画像データＤAと直前の表
示期間Ｐiの最後の単位期間Ｕ4の画像データＤAとの差異に応じて補正量が設定された第
１動作モードと同様のオーバードライブを単位期間Ｕ1にて駆動回路４０に実行させるほ
か、各表示期間Ｐi内の単位期間Ｕ2の画像データＤAとその表示期間Ｐi内の直前の単位期
間Ｕ1の画像データＤAとの差異に応じた補正量のオーバードライブを単位期間Ｕ2にて駆
動回路４０に実行させる。第２動作モードと同様に、各表示期間Ｐi内の単位期間Ｕ3およ
び単位期間Ｕ4では各画素ＰIXのオーバードライブは実行されない。以上の説明から理解
されるように、各表示期間Ｐi内でオーバードライブを実行する単位期間Ｕ（Ｕ1，Ｕ2）
は第２動作モードと第３動作モードとで共通するが、単位期間Ｕ2に対応する画像データ
ＤAの比較の対象が第２動作モード（直前の表示期間Ｐiの単位期間Ｕ4の画像データＤA）
と第３動作モード（直前の単位期間Ｕ1の画像データＤA）とでは相違する。
【００３８】
第４動作モードは、図６の部分(D)に示すように、各表示期間Ｐi内の４個の単位期間Ｕ
1〜Ｕ4の各々で駆動回路４０にオーバードライブを実行させる動作モードである。具体的
には、処理回路５０は、各単位期間Ｕの画像データＤAと直前の単位期間Ｕの画像データ
ＤAとの差異に応じた補正量のオーバードライブを各単位期間Ｕにて駆動回路４０に実行
させる。具体的には、各表示期間Ｐi内の単位期間Ｕ1では、単位期間Ｕ1の画像データＤA
と直前の表示期間Ｐi内の単位期間Ｕ4の画像データＤAとに応じた補正量のオーバードラ
イブが実行される。また、各表示期間Ｐi内の単位期間Ｕ2では、その単位期間Ｕ2の画像
データＤAと直前の単位期間Ｕ1の画像データＤAとに応じた補正量のオーバードライブが
実行される。同様に、単位期間Ｕ2と単位期間Ｕ3との画像データＤAの差異に応じた補正
量のオーバードライブが単位期間Ｕ3にて実行され、単位期間Ｕ3と単位期間Ｕ4との画像
データＤAの差異に応じた補正量のオーバードライブが単位期間Ｕ4にて実行される。
【００３９】
図５に示すように、処理回路５０は、記憶部５２と書込制御部５４と駆動制御部５６と
Ｄ/Ａ変換部５８とを具備する。記憶部５２は、処理回路５０に供給された過去に画像デ
ータＤA（縦(Ｍ/２)行×横Ｎ列分の指定階調）を、処理回路５０に供給された最新の画像
データＤAとの比較のために記憶するメモリである。図６を参照して説明した通り、最新
の画像データＤAと比較される画像データＤAは動作モードに応じて相違するから、書込制
御部５４は、比較用の画像データＤAの書込を動作モードに応じて制御する。
【００４０】
具体的には、図６の部分(A)の第１動作モードおよび部分(B)の第２動作モードでは、書
込制御部５４は、各表示期間Ｐi内の単位期間Ｕ4の画像データＤAを記憶部５２に格納す
る。他方、各表示期間Ｐi内の単位期間Ｕ1から単位期間Ｕ3の画像データＤAは、第１動作
モードおよび第２動作モードでは記憶部５２に格納されない。したがって、各表示期間Ｐ
i内の単位期間Ｕ1および単位期間Ｕ2の画像データＤAが処理回路５０に供給される期間で
は、直前の表示期間Ｐiの単位期間Ｕ4の画像データＤAが記憶部５２に保持されている。
【００４１】
他方、図６の部分(C)の第３動作モードでは、書込制御部５４は、各表示期間Ｐi内の単
位期間Ｕ1および単位期間Ｕ4の画像データＤAを記憶部５２に格納する。したがって、各
表示期間Ｐi内の単位期間Ｕ1の画像データＤAが処理回路５０に供給される時点では、直
前の表示期間Ｐiの単位期間Ｕ4の画像データＤAが記憶部５２に保持され、各表示期間Ｐi
内の単位期間Ｕ2の画像データＤAが処理回路５０に供給される時点では、直前の単位期間
Ｕ1の画像データＤAが記憶部５２に保持されている。また、図６の部分(D)の第４動作モ
ードでは、書込制御部５４は、各表示期間Ｐi内の単位期間Ｕ1〜Ｕ4の各々の画像データ
ＤAを順次に記憶部５２に格納する。したがって、各単位期間Ｕの画像データＤAが処理回
路５０に供給される時点では、直前の単位期間Ｕの画像データＤAが記憶部５２に保持さ
れている。
【００４２】
図５の駆動制御部５６は、外部回路から供給される最新の処理対象の画像データＤAと
記憶部５２に記憶された比較用の画像データＤAとの差異に応じた補正量（液晶素子ＣLに
対する印加電圧の増加分）のオーバードライブを駆動回路４０に実行させる画像データＤ
Bを生成する。具体的には、駆動制御部５６は、処理対象の画像データＤAを画像データＤ
Bに変換する補正処理を実行可能である。補正処理は、処理対象の画像データＤAの各指定
階調と記憶部５２内の比較用の画像データＤAの各指定階調との相違に応じた補正量だけ
液晶素子ＣLに対する印加電圧が増加するように処理対象の画像データＤAの画素ＰIX毎の
指定階調を調整した画像データＤBを生成する処理である。各画素ＰIXのオーバードライ
ブの補正量（液晶素子ＣLに対する印加電圧の増加分）は、処理対象の画像データＤAの指
定階調と比較用の画像データＤAの指定階調との相違が大きい（表示階調の変化が大きい
）ほど増加するように画素ＰIX毎に設定され、両者間で指定階調が一致する場合にはゼロ
（オーバードライブなし）に設定される。処理対象の画像データＤAと比較用の画像デー
タＤAとの差分値を画像データＤBでの指定階調に対応させたルックアップテーブルが駆動
制御部５６として好適に採用される。
【００４３】
各表示期間Ｐi内で駆動回路４０にオーバードライブを実行させる単位期間Ｕは動作モ
ードに応じて相違するから、図５の駆動制御部５６は、各表示期間Ｐiのうち動作モード
に応じた単位期間Ｕ（すなわち、オーバードライブの対象となる単位期間Ｕ）にて選択的
に変換処理を実行する。具体的には、図６の部分(A)の第１動作モードでは各表示期間Ｐi
内の単位期間Ｕ1にて変換処理が実行され、図６の部分(B)の第２動作モードおよび部分(C
)の第３動作モードでは各表示期間Ｐi内の単位期間Ｕ1および単位期間Ｕ2にて変換処理が
実行され、図６の部分(D)の第４動作モードでは各表示期間Ｐi内の単位期間Ｕ1〜Ｕ4の各
々で変換処理が実行される。各表示期間Ｐiのうちオーバードライブが実行されない単位
期間Ｕでは、駆動制御部５６は、変換処理を実行することなく処理対象の画像データＤA
を画像データＤBとして出力する。
【００４４】
図５のＤ/Ａ変換部５８は、駆動制御部５６が順次に生成する各画素ＰIXの画像データ
ＤBをアナログの画像信号ＶIDに変換して駆動回路４０（信号線駆動回路４４）に供給す
る。処理回路５０（書込制御部５４および駆動制御部５６）が動作モードに応じて以上の
ように動作する結果、第１動作モードから第４動作モードの何れかに対応するオーバード
ライブが駆動回路４０により実行される。
【００４５】
図１の制御回路１４の眼鏡制御回路１４４は、立体視用眼鏡２０の右眼用シャッター２
２および左眼用シャッター２４の各々の状態（開状態／閉状態）を電気光学パネル１２の
動作に同期して制御する。具体的には、眼鏡制御回路１４４は、図３に示すように、各表
示期間Ｐ（ＰR，ＰL）内の単位期間Ｕ1にて右眼用シャッター２２および左眼用シャッタ
ー２４の双方を閉状態に維持する。また、眼鏡制御回路１４４は、右眼用表示期間ＰR内
の単位期間Ｕ1以外の期間（単位期間Ｕ2の始点から単位期間Ｕ4の終点まで）にて右眼用
シャッター２２を開状態に維持するとともに左眼用シャッター２４を閉状態に維持し、左
眼用表示期間ＰL内の単位期間Ｕ1以外の期間にて左眼用シャッター２４を開状態に維持す
るとともに右眼用シャッター２２を閉状態に維持する。
【００４６】
したがって、右眼用表示期間ＰR内の単位期間Ｕ2から単位期間Ｕ4で画素部３０に表示
される右眼用画像ＧRは右眼用シャッター２２を透過して観察者の右眼に到達するととも
に左眼用シャッター２４で遮断される。他方、左眼用表示期間ＰL内の単位期間Ｕ2から単
位期間Ｕ4で画素部３０に表示される左眼用画像ＧLは左眼用シャッター２４を透過して観
察者の左眼に到達するとともに右眼用シャッター２２で遮断される。右眼用シャッター２
２を透過した右眼用画像ＧRを右眼で視認するとともに左眼用シャッター２４を透過した
左眼用画像ＧLを左眼で視認することで、観察者は表示画像に立体感を知覚する。
【００４７】
右眼用表示期間ＰR内の単位期間Ｕ1では、直前の左眼用表示期間ＰL（単位期間Ｕ4）で
表示された左眼用画像ＧLが２行毎に順次に右眼用画像ＧRに更新され、左眼用表示期間Ｐ
Lの単位期間Ｕ1では、直前の右眼用表示期間ＰR（単位期間Ｕ4）で表示された右眼用画像
ＧRが２行毎に順次に左眼用画像ＧLに更新される。すなわち、各表示期間Ｐ内の単位期間
Ｕ1では右眼用画像ＧRと左眼用画像ＧLとが混在する。本実施形態では、各表示期間Ｐの
単位期間Ｕ1では右眼用シャッター２２および左眼用シャッター２４の双方が閉状態に維
持されるから、右眼用画像ＧRと左眼用画像ＧLとの混在（クロストーク）は観察者に知覚
されない。すなわち、右眼用画像ＧRと左眼用画像ＧLとが確実に右眼および左眼に分離さ
れるから、観察者に明確な立体感を知覚させることが可能である。
【００４８】
以上に説明した実施形態では、各表示期間Ｐi内の単位期間Ｕ1にてＭ本の走査線３２を
２本ずつ選択して各画素ＰIXに階調電位Ｘ[n]を供給する。したがって、各表示期間Ｐiの
単位期間Ｕ1にてＭ本の走査線３２を１本ずつ選択する構成と比較すると、右眼用画像ＧR
と左眼用画像ＧLとが混在する期間（クロストークの防止のために右眼用シャッター２２
および左眼用シャッター２４の双方を閉状態に維持する単位期間Ｕ1）の時間長が短縮さ
れる。すなわち、表示期間Ｐiのうち右眼用シャッター２２または左眼用シャッター２４
を開状態に維持できる時間長が充分に確保される。したがって、観察者が認識する表示画
像の明度を向上することが可能である。
【００４９】
ところで、以上のように単位期間Ｕ1を短い時間に設定した場合、第１動作モードのよ
うに単位期間Ｕ1のみでオーバードライブを実行する構成では、液晶素子ＣLに過電圧を印
加する時間が不足し、単位期間Ｕ1の終点にて液晶６６を所期の状態に充分に変化させる
ことが困難となる可能性がある。階調電位Ｘ[n]を高めることで液晶６６を所期の状態に
応答させるのに充分な過電圧を液晶素子ＣLに印加することも可能であるが、駆動回路４
０の耐圧性能等の事情により階調電位Ｘ[n]は実際には制限される。本実施形態の第２動
作モードから第４動作モードでは、各表示期間Ｐi内の複数の単位期間Ｕにわたりオーバ
ードライブが実行される。したがって、各単位期間Ｕでの過電圧を抑制した場合でも、複
数の単位期間Ｕにわたるオーバードライブで液晶素子ＣLの液晶６６を確実に駆動できる
。すなわち、単位期間Ｕ1のみでオーバードライブを実行する構成と比較して、オーバー
ドライブによる過電圧を低減しながらクロストークを知覚され難くすることが可能である
。以上の効果は、単位期間Ｕ毎にオーバードライブを実行する第４動作モードにて格別に
顕著となる。
【００５０】
なお、オーバードライブの補正量を設定するために駆動制御部５６が処理対象の画像デ
ータＤAと比較すべき画像データＤAは表示画像の内容等に応じて相違し得る。すなわち、
各表示期間Ｐi内の単位期間Ｕ2の画像データＤAを直前の表示期間Ｐi内の単位期間Ｕ4の
画像データＤAと比較する第２動作モードが適切な場合もあれば、各表示期間Ｐi内の単位
期間Ｕ2の画像データＤAを直前の単位期間Ｕ1の画像データＤAと比較する第３動作モード
が適切な場合もある。本実施形態では、処理対象の画像データＤAとの比較用の画像デー
タＤAが相違する複数の動作モード（第２動作モード，第３動作モード）の何れかが選択
されるから、表示画像の内容に応じて適切なオーバードライブを実現できるという利点が
ある。
【００５１】
＜変形例＞
以上の形態は多様に変形され得る。具体的な変形の態様を以下に例示する。以下の例示
から任意に選択された２以上の態様は、相互に矛盾しない範囲内で適宜に併合され得る。
【００５２】
（１）前述の形態では、複数の動作モードを選択可能な構成を例示したが、前述の各動作
モードの何れかで処理回路５０を固定的に動作させることも可能である。例えば、処理回
路５０が第２動作モードのみで動作する構成や第３動作モードのみで動作する構成も採用
され得る。
【００５３】
（２）前述の形態では、奇数行の指定階調Ｇi[2k-1]に応じた階調電位Ｘ[n]を単位期間Ｕ
1にて第１組の各画素ＰIXに供給するとともに偶数行の指定階調Ｇi[2k]に応じた階調電位
Ｘ[n]を単位期間Ｕ2にて偶数行の各画素ＰIXに供給し、偶数行の指定階調Ｇi[2k]に応じ
た階調電位Ｘ[n]を単位期間Ｕ3にて第２組の各画素ＰIXに供給するとともに奇数行の指定
階調Ｇi[2k-1]に応じた階調電位Ｘ[n]を単位期間Ｕ4にて奇数行の各画素ＰIXに供給した
が、単位期間Ｕ2および単位期間Ｕ4にて選択される画素ＰIXの奇数行／偶数行や、各単位
期間Ｕにて階調電位Ｘ[n]に反映される指定階調の奇数行／偶数行は以上の例示に限定さ
れない。
【００５４】
例えば、偶数行の指定階調Ｇi[2k]に応じた階調電位Ｘ[n]を単位期間Ｕ1にて第１組の
各画素ＰIXに供給するとともに奇数行の指定階調Ｇi[2k-1]に応じた階調電位Ｘ[n]を単位
期間Ｕ2にて奇数行の各画素ＰIXに供給し、奇数行の指定階調Ｇi[2k-1]に応じた階調電位
Ｘ[n]を単位期間Ｕ3にて第２組の各画素ＰIXに供給するとともに偶数行の指定階調Ｇi[2k
]に応じた階調電位Ｘ[n]を単位期間Ｕ4にて偶数行の各画素ＰIXに供給することも可能で
ある。また、前述の形態では、第(2k-1)行および第2k行を第１組として第2k行および第(2
k+1)行を第２組としたが、Ｍ本の走査線３２の区分の方法は適宜に変更される。例えば第
2k行および第(2k+1)行を第１組として第(2k-1)行および第2k行を第２組とした構成も採用
される。
【００５５】
（３）各表示期間Ｐiにて各画素ＰIXを駆動する方法は以上の例示に限定されない。例え
ば、前述の形態では各表示期間Ｐiを４個の単位期間Ｕ1〜Ｕ4に区分したが、表示期間Ｐi
内の単位期間Ｕの個数は任意である。例えば、各表示期間Ｐを２個の単位期間Ｕ（Ｕ1，
Ｕ2）に区分した構成も採用され得る。単位期間Ｕ1および単位期間Ｕ2の各々では、例え
ば第１実施形態と同様の方法で各画素ＰIXが駆動される。以上の例示から理解されるよう
に、本発明の好適な態様に係る駆動回路４０は、各表示期間Ｐi内の最初の単位期間Ｕ1に
て複数行毎に各画素ＰIXを選択して階調電位Ｘ[n]を供給する要素として包括される。
【００５６】
（４）第２動作モードや第３動作モードにおいて、各表示期間Ｐi内でオーバードライブ
を駆動回路４０に実行させる単位期間Ｕの個数は適宜に変更される。例えば、各表示期間
Ｐiが４個の単位期間Ｕ1〜Ｕ4を含む前述の構成において、各表示期間Ｐiの単位期間Ｕ1
から単位期間Ｕ3の各々において駆動回路４０にオーバードライブを実行させることも可
能である。
【００５７】
（５）前述の各形態では、右眼用表示期間ＰRの単位期間Ｕ1の終点にて右眼用シャッター
２２を閉状態から開状態に変化させたが、右眼用シャッター２２を閉状態から開状態に変
化させる時期は適宜に変更される。例えば、右眼用表示期間ＰRの単位期間Ｕ1の終点以前
に右眼用シャッター２２を開状態に変化させる構成では、単位期間Ｕ1内でのクロストー
クが観察者に若干は知覚されるが、表示画像の明度を向上させることが可能である。他方
、右眼用表示期間ＰRの単位期間Ｕ1の終点以降の時点で右眼用シャッター２２を開状態に
変化させる構成では、表示画像の明度は低下するが、観察者にクロストークが知覚される
ことを有効に防止することが可能である。同様に、右眼用シャッター２２を開状態から閉
状態に変化させる時期を、右眼用表示期間ＰRの単位期間Ｕ4の終点の前後に設定した構成
も採用され得る。なお、観察者にクロストークが知覚され難い開閉の時期は、右眼用シャ
ッター２２および左眼用シャッター２４の応答特性と電気光学パネル１２（液晶素子ＣL
）の応答特性との関係にも依存する。したがって、右眼用シャッター２２の開閉の時期は
、クロストークの防止と表示画像の明度の確保との優先度や、立体視用眼鏡２０の応答特
性と電気光学パネル１２の応答特性との関係といった種々の要因を考慮して選定される。
なお、以上の説明では右眼用シャッター２２に言及したが、左眼用シャッター２４の開閉
の時期についても同様である。
【００５８】
以上の説明から理解されるように、右眼用シャッター２２が開状態に維持される期間は
、右眼用表示期間ＰRのうち単位期間Ｕ1以外の期間（単位期間Ｕ2から単位期間Ｕ4）の少
なくとも一部を含む期間（直前の単位期間Ｕ1の末尾の一部を含むか否かは不問）として
包括される。同様に、左眼用シャッター２４が開状態に維持される期間は、左眼用表示期
間ＰLのうち単位期間Ｕ1以外の期間の少なくとも一部を含む期間（直前の単位期間Ｕ1の
末尾の一部を含むか否かは不問）として包括される。また、右眼用シャッター２２および
左眼用シャッター２４の双方が閉状態に制御される期間は、各表示期間Ｐ（ＰR，ＰL）の
うち単位期間Ｕ1の少なくとも一部を含む期間（直後の単位期間Ｕ2の先頭の一部を含むか
否かは不問）として包括される。
【００５９】
（６）単位期間Ｕ1や単位期間Ｕ3にて同時に選択される走査線３２の本数は任意である。
すなわち、単位期間Ｕ1や単位期間Ｕ3での走査線駆動回路４２の動作は、走査線３２をＱ
行（Ｑは２以上の自然数）ずつ順次に選択する動作として包括される。
【００６０】
（７）電気光学素子（表示素子）は液晶素子ＣLに限定されない。例えば、電気泳動素子
を電気光学素子として利用することも可能である。すなわち、電位光学素子は、電気的な
作用（例えば電圧の印加）に応じて光学的な特性（例えば透過率）が変化する表示素子と
して包括される。
【００６１】
＜応用例＞
以上の各形態に例示した電気光学装置１０は、各種の電子機器に利用され得る。図７か
ら図９には、電気光学装置１０を採用した電子機器の具体的な形態が例示されている。
【００６２】
図７は、電気光学装置１０を適用した投射型表示装置（３板式のプロジェクター）４０
００の模式図である。投射型表示装置４０００は、相異なる表示色（赤色，緑色，青色）
に対応する３個の電気光学装置１０（１０R，１０G，１０B）を含んで構成される。照明
光学系４００１は、照明装置（光源）４００２からの出射光のうち赤色成分ｒを電気光学
装置１０Rに供給し、緑色成分ｇを電気光学装置１０Gに供給し、青色成分ｂを電気光学装
置１０Bに供給する。各電気光学装置１０は、照明光学系４００１から供給される各単色
光を表示画像に応じて変調する光変調器（ライトバルブ）として機能する。投射光学系４
００３は、各電気光学装置１０からの出射光を合成して投射面４００４に投射する。観察
者は、投射面４００４に投射された立体視画像を立体視用眼鏡２０（図７では図示略）で
視認する。
【００６３】
図８は、電気光学装置１０を採用した可搬型のパーソナルコンピューターの斜視図であ
る。パーソナルコンピューター２０００は、各種の画像を表示する電気光学装置１０と、
電源スイッチ２００１やキーボード２００２が設置された本体部２０１０とを具備する。
【００６４】
図９は、電気光学装置１０を適用した携帯電話機の斜視図である。携帯電話機３０００
は、複数の操作ボタン３００１およびスクロールボタン３００２と、各種の画像を表示す
る電気光学装置１０とを備える。スクロールボタン３００２を操作することによって、電
気光学装置１０に表示される画面がスクロールされる。
【００６５】
なお、本発明に係る電気光学装置が適用される電子機器としては、図７から図９に例示
した機器のほか、携帯情報端末（ＰＤＡ：Personal Digital Assistants），デジタルス
チルカメラ，テレビ，ビデオカメラ，カーナビゲーション装置，車載用の表示器（インパ
ネ），電子手帳，電子ペーパー，電卓，ワードプロセッサ，ワークステーション，テレビ
電話，ＰＯＳ端末，プリンター，スキャナー，複写機，ビデオプレーヤー，タッチパネル
を備えた機器等などが挙げられる。
【符号の説明】
【００６６】
１００……立体視表示装置、１０……電気光学装置、１２……電気光学パネル、１４……
制御回路、１４２……表示制御回路、１４４……眼鏡制御回路、２０……立体視用眼鏡、
２２……右眼用シャッター、２４……左眼用シャッター、３０……画素部、ＰIX……画素
、ＣL……液晶素子、ＳW……選択スイッチ、３２……走査線、３４……信号線、４０……
駆動回路、４２……走査線駆動回路、４４……信号線駆動回路、５０……処理回路、５２
……記憶部、５４……書込制御部、５６……駆動制御部、５８……Ｄ/Ａ変換部。
【図１】
2013073036.tif 000003
【図２】
2013073036.tif 000004
【図３】
2013073036.tif 000005
【図４】
2013073036.tif 000006
【図５】
2013073036.tif 000007
【図６】
2013073036.tif 000008
【図７】
2013073036.tif 000009
【図８】
2013073036.tif 000010
【図９】
2013073036.tif 000011
【図１０】
2013073036.tif 000012